(57)【要約】【課題】臍や穴を掘る作業を必要としない簡単な方法で障子を作る。【解決手段】障子の４辺の縁木を除いた障子の中心部分のみを、組み合わせ用の溝を桟木から切り欠き、桟木を組んで和紙を貼って予め作成し、後から中心部分の４辺の周囲に押し出し成型法により作られた縁木に対応するコの字型のフレームを嵌めて作る組み込み障子。【選択図】図１
0003106647.tif 000002
【実用新案登録請求の範囲】
【請求項１】
障子の４辺の縁木、つまり鴨居や敷居に接する水平部分と障子同士や柱に接する垂直部分、を除いた障子の中心部分のみを、桟木を組んで紙を貼って予め作成し、後からそれの４辺の周囲に、押し出し成型法により作られた縁木に対応するコの字型のフレームを嵌めて作る組み込み障子。
【請求項２】
障子の中心部分を作るに当たり、臍や穴を掘らずに、組み合わせ用の溝のみを桟木から切り欠き、桟木を組んで紙を貼って作ることを特徴とする請求項１記載の組み込み障子。
【考案の詳細な説明】
【技術分野】
【０００１】  日本の家屋にて使用する建具に関する。
【背景技術】
【０００２】  古来日本家屋においては障子と呼ばれる引き戸が室内に光を取り入れる必要がある場合に使用されてきた。襖や板戸と違い採光できるという利点がとられたのであるが、ガラスが普及するにつれ、障子はあまり用いられなくなってきた。しかし最近再びその柔らかい間接光やその断熱性が見直され、少しずつ再使用されるようになってきた。【０００３】  障子はその桟木が直接目に触れる形で露出するために、昔ながらの方法で製作しようとすると桟木をきれいに組み、障子の周縁を取り囲んでいる縁木に臍や穴を掘って、すべての桟木をそこへ狂いの無いように嵌めなければならなかった。細かい作業が多いので製品を作るのに時間がかかり、必然的に高価なものにならざるをえなかった。
【考案の開示】
【考案が解決しようとする課題】
【０００４】  外観上は普通の障子と変わりは無いが、制作上一番困難であった臍や穴を掘って一本一本桟木をそこへ嵌めず、もっと簡単な方法で障子を製作する。
【課題を解決するための手段】
【０００５】  本考案は上記問題に鑑みてなされたものであり、障子の周縁を取り囲んでいる縁木を除いた桟木を組んだ中心部分のみを最初に作る。桟木同士が直角に交差するところをそれぞれ半分ずつ切り欠いて組み合わせるが、縁木が無いので外周の桟木も含めてすべて切り欠きのみの加工でよい。【０００６】  上記のように切り欠いた桟木を組み合わせ、和紙を貼って障子の中心部をまず製作し、その周囲４辺に、押し出し成型法によって作られた縁木に対応するコの字型のフレームを上下左右それぞれ嵌め込んで障子を完成させる。
【考案の効果】
【０００７】  材料への加工が切り欠きのみでよいのと、切り欠いた桟木を組み合わせるだけなので、臍や穴を掘ってそこへ桟木を嵌め込む作業に比べると、はるかに簡単な作業になる。かつ中心部分のみを分離して製作するので、全体が完成する前に中間部分に和紙を貼っておける。中間部分のみに和紙を貼る手間賃は全体が完成してから貼る手間賃に比べ約１／６と割安である。
【考案を実施するための最良の形態】
【０００８】  周辺部分を含めてすべての桟木同士が直行している部分をそれぞれ半分ずつ切り欠いて用意し、それら桟木を組み合わせて骨組みを作り、和紙をそれに貼って中心部分は完成する。【０００９】  中心部分の周囲４方向には、押し出し成型法によって作られた縁木に対応するコの字型のフレームを所定の長さに切って嵌め込む。４隅の上下にはコの字型フレームの端面が出るので、そこに嵌め込んで収めるような、めくら蓋を予め用意しておいて嵌める。
【実施例】
【００１０】  本考案の組み合わせ障子を図面に基づいて説明すると図１はこの障子の概念を示す部分図で中心部分を構成する細い桟木１とその周辺部の幅広い桟木２をお互いに切り欠いて組み合わせる。その切り欠き方は図２に示してある。【００１１】  周辺部の桟木２にはクッション材３が貼り付けられ、その上を被せるように押し出し成型法によって作られたコの字型のフレーム４を嵌める。このフレームは木肌模様にしておけば出来上がりは通常の障子と何ら変わりは無い。紙は図示してないが、この図の場合は上側のほうに和紙を貼る。
【産業上の利用可能性】
【００１２】  以上述べてきたように、本考案の障子の場合簡単に障子を作ることができる。従って異なったサイズの障子にも容易に対応できる。
【図面の簡単な説明】
【００１３】
【図１】本考案の障子の概念を示す部分図。
【図２】桟木の切り欠き方を示す図。
【符号の説明】
【００１４】    １  細い桟木
２  幅広い桟木
３  クッション材
４  コの字型のフレーム
【図１】
0003106647.tif 000003
【図２】
0003106647.tif 000004
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
【実用新案登録請求の範囲】
【請求項１】
断面が４ｃｍｘ１ｃｍ長さ１８０ｃｍと断面が４ｃｍｘ１ｃｍ長さ９０ｃｍほどの木２本づつで枠を作り、その枠内に断面が６ｍｍｘ１ｃｍほどの細い桟木を一定の間隔を取りながらたて横格子状に組んで骨組みを形成し，片面に紙を貼って障子の中心部分を予め作っておき、後からそれの４辺の周囲にプラスチック押し出し成型法により作られた縁木の表面に対応する一辺が約２ｃｍ、厚さ３ｍｍのコの字型のフレームをパッキングと共に嵌め被せて作る組み込み障子。
【請求項２】
障子の骨組みを形成するに当たり、臍や穴を掘らずに、組み合わせ用の溝のみを桟木から切り欠き、桟木を組んで作ることを特徴とする請求項１記載の組み込み障子。
【手続補正２】
【補正対象書類名】明細書
【補正対象項目名】全文
【補正方法】変更
【補正の内容】
【考案の詳細な説明】
【技術分野】
【０００１】  日本の家屋にて使用する建具に関する。
【背景技術】
【０００２】  古来日本家屋においては障子と呼ばれる引き戸が室内に光を取り入れる必要がある場合に使用されてきた。襖や板戸と違い採光できるという利点がとられたのであるが、ガラスが普及するにつれ、障子はあまり用いられなくなってきた。しかし最近再びその柔らかい間接光やその断熱性が見直され、少しずつ再使用されるようになってきた。【０００３】  障子はその桟木が直接目に触れる形で露出するために、昔ながらの方法で製作しようとすると桟木をきれいに組み、障子の周縁を取り囲んでいる縁木に臍や穴を掘って、すべての桟木をそこへ狂いの無いように嵌めなければならなかった。細かい作業が多いので製品を作るのに時間がかかり、必然的に高価なものにならざるをえなかった。
【考案の開示】
【考案が解決しようとする課題】
【０００４】  外観上は普通の障子と変わりは無いが、制作上一番困難であった臍や穴を掘って一本一本桟木をそこへ嵌めず、もっと簡単な方法で障子を製作する。
【課題を解決するための手段】
【０００５】  本考案は上記問題に鑑みてなされたものであり、障子の周縁を取り囲んでいる縁木の外周表面を除いた枠体の中に桟木を組んだ中心部分のみを最初に作る。桟木同士が直角に交差するところをそれぞれ半分ずつ切り欠いて組み合わせるが、枠体は最終的にコの字型フレームで隠されるので枠体も桟木もすべて切り欠きのみの加工でよい。【０００６】  上記のように切り欠いた枠体と桟木を組み合わせ、骨組みを作り和紙を貼って障子の中心部をまず製作し、その周囲４辺に、押し出し成型法によって作られた縁木の表面に対応するコの字型のフレームを上下左右それぞれ嵌め込んで障子を完成させる。
【考案の効果】
【０００７】  材料への加工が切り欠きのみでよいのと、切り欠いた桟木を組み合わせるだけなので、臍や穴を掘ってそこへ桟木を嵌め込む作業に比べると、はるかに簡単な作業になる。かつ中心部分のみを分離して製作するので、全体が完成する前に中間部分に和紙を貼っておける。中間部分のみに和紙を貼る手間賃は全体が完成してから貼る手間賃に比べ約１／６と割安である。
【考案を実施するための最良の形態】
【０００８】  周辺部分を含めてすべての桟木同士が直行している部分をそれぞれ半分ずつ切り欠いて用意し、それら桟木を組み合わせて骨組みを作り、和紙をそれに貼って中心部分は完成する。【０００９】  中心部分の周囲４方向には、押し出し成型法によって作られた縁木に対応するコの字型のフレームを所定の長さに切って嵌め込む。４隅の上下にはコの字型フレームの端面が出るので、そこに嵌め込んで収めるような、めくら蓋を予め用意しておいて嵌める。
【実施例】
【００１０】  本考案の組み合わせ障子を図面に基づいて説明すると図１はこの障子の概念を示す部分図で中心部分を構成する断面が６ｍｍｘ１ｃｍほどの細い桟木１を格子状に組んだものと、その周辺部に断面が４ｃｍｘ１ｃｍ長さ１８０ｃｍと断面が４ｃｍｘ１ｃｍ長さ９０ｃｍほどの木２本づつ２をやはり要所要所切り欠いて周辺を囲むように組み合わせる。その切り欠き方は図２に示してある。紙は図示してないが、この図の場合は上側のほうに和紙を貼る。【００１１】  周辺部の木２にはクッション材３が貼り付けられ、その上を被せるように押し出し成型法によって作られた縁木の表面に対応する一辺が約２ｃｍ、厚さ６ｍｍのコの字型のフレーム４を嵌める。このフレームは木肌模様にしておけば出来上がりは見た目には通常の障子と何ら変わりは無い。
【産業上の利用可能性】
【００１２】  以上述べてきたように、本考案の障子の場合簡単に障子を作ることができる。従って異なったサイズの障子にも容易に対応できる。
【図面の簡単な説明】
【００１３】
【図１】本考案の障子の概念を示す部分図。
【図２】桟木の切り欠き方を示す図。
【符号の説明】
【００１４】    １  細い桟木
２  周辺部の木
３  クッション材
４  コの字型のフレーム